(57)【要約】      （修正有）【課題】光ディスクにスピンドルモータの熱が伝わることによる光ディスクの熱変形を抑制し、光ディスク装置の性能劣化を防ぐ。【解決手段】着脱自在の光ディスクを用い、光ディスクを保持するターンテーブル１０と、ターンテーブル１０を回転駆動するスピンドルモータと、スピンドルモータ内にターンテーブル１０の回転軸を保持する軸受部１２を有する光ディスク装置において、軸受部１２の外周に、熱電により冷却する素子１７を配し、素子１７により軸受部１２を直接冷却する。スピンドルモータから発する熱は、軸受部１２を介してターンテーブル１０に伝わるため、軸受部１２を冷却することによりスピンドルモータの熱がターンテーブル１０に伝わることを防ぎ、さらにターンテーブル１０を冷却することが可能である。これにより、光ディスクにターンテーブル１０から熱が伝わることはなく、光ディスクの熱変形を抑制できる。【選択図】図２
2007323784.tif 000002
【特許請求の範囲】
【請求項１】
回転するディスクから情報を読み取るディスク装置であって、
ディスクから情報を読み取る読み取り部と、
ディスクを搭載する台と、
前記台に接続して軸の周囲に配置された軸受部と、
前記台と共に回転する磁石と、
前記磁石と対になって前記台を前記軸を中心に回転させるコイルと、
前記軸受部を冷却する冷却部とを含むディスク装置。
【請求項２】
ディスクを回転させるディスク装置であって、
ディスクを搭載する台と、
前記台と接続するロータケースと、
前記台と共に回転する磁石と、
前記磁石と対になるコイルと、
前記台に接続する軸受部と、
前記軸受部を冷却する冷却部とを含み、
前記ロータケースから前記回転軸に向けて、前記磁石、前記コイル、前記冷却部の順で配置されているディスク装置。
【請求項３】
請求項１又は２のディスク装置であって、
前記軸受部において前記軸の方向に見て、前記コイル部と前記軸受部との接続部、前記冷却部、前記台のように配置されているディスク装置。
【請求項４】
ロータケースに接続する磁石をコイルに発生した磁界によって回転させることで前記ロータケースに接続されたターンテーブルに搭載されたディスクを回転軸を中心に回転させるディスク装置であって、
前記コイルと前記回転軸との間に冷却素子を配置するディスク装置。
【請求項５】
着脱自在の光ディスクを保持するターンテーブルと、該ターンテーブルの回転中心に配置された回転軸と、該回転軸を保持する軸受部とで構成されたスピンドルモータを有する光ディスク装置において、
冷却素子を、前記軸受部の外周部に配置する光ディスク装置。
【請求項６】
請求項５記載の光ディスク装置において、該冷却素子と該軸受部とをシリコン樹脂の接着部材で固定する光ディスク装置。
【請求項７】
請求項５又は６記載の光ディスク装置において、該ターンテーブルの温度が所定の温度となるように該冷却素子を制御する光ディスク装置。
【請求項８】
請求項５から７のいずれか記載の光ディスク装置において、該冷却素子はペルチェ素子である光ディスク装置。
【請求項９】
請求項５から８のいずれか記載の光ディスク装置を搭載したビデオカメラ。
【発明の詳細な説明】
【技術分野】
【０００１】
技術分野は、ディスク装置を回転させるディスク装置に係わる。例えば特に、光ディスクに生じる熱変形の発生を低減する光ディスク装置に関する。
【背景技術】
【０００２】
光ディスクを回転させるに当たり、モータの回転によって発生する熱により、光ディスクを搭載したターンテーブルの温度が上昇し、光ディスクの熱変形を起こす場合がある。
【０００３】
これに対し、例えば以下のような技術が提案されている。
【０００４】
特許文献１には、「光ディスクの局所的な熱変形を低減し、これによって装置全体の耐久性および信頼性向上を図った光ディスク装置を提供すること。」を課題として、「ターンテーブルを介して光ディスクを回転駆動するスピンドルモータと、該モータの回転軸の固定されたガイド部材とターンテーブルとの間にあって当該ガイド部材に案内され回転軸に沿って往復移動するディスク用中心位置調整部材と、光ディスクをターンテーブルと共に保持するクランパとを有する。クランパは熱伝導率の小さい部材で形成し、外周部の環状クランプ部材を熱伝導率の大きい部材で形成する。又、ターンテーブルの環状保持部材を、弾性材からなる環状スペーサと光ディスク側に配設され熱伝導率の大きい部材からなる環状部材とにより構成する。」という記載がある。
【０００５】
特許文献２には、「ディスクテーブル付近の雰囲気温度を所定温度に保つことの可能なスピンコーティング装置の提供。」を課題として、「上下方向に配設され上端に円盤状のディスクテーブルを有するスピンドル軸と、ディスクテーブルの下方に配置されスピンドル軸を架台に回転可能に支承する軸受と、軸受の下方に配置されスピンドル軸を回転駆動させるモータと、ディスクテーブルの上方に配置されディスクテーブル上に載置されたＣＤに有機色素液を供給するノズルと、ディスクテーブルの外周を包囲して配置され排気ダクトに通じる排気通路を有するケースとを備えたスピンコーティング装置であって、軸受の周囲に水冷式冷却手段を、モータの周囲に空冷式冷却手段をそれぞれ設け、モータの駆動による熱および軸受の摩擦熱を冷却手段で冷却する。」という記載がある。
【０００６】
特許文献３には、「放熱性に優れ、スピンドルモータの発生する熱によるスピンドルモータの性能への悪影響や光ディスクの膨張変形等を防止できるスピンドルモータを得る。」ことを課題とする技術が開示されている。
【０００７】
【特許文献１】特開平１０−８３６０２号公報
【特許文献２】特開平１０−４３６６４号公報
【特許文献３】特開平１０−７０８７０号公報
【発明の開示】
【発明が解決しようとする課題】
【０００８】
現在、光ディスク装置はパソコンやビデオレコーダだけでなく、ビデオカメラなどの持ち運びを可能とする機器にも使用されており、さらなる小型軽量化が求められている。しかしながら、光ディスク装置を小型化することにより発生する問題もある。そのひとつが上述したような、光ディスク装置に設けられたスピンドルモータから発生する熱による光ディスクの熱変形である。特に、ＢＤ（Blu-ray Disc）やＨＤ ＤＶＤ（High-Definition Digital Versatile Disc）などの短波長光（例えば405nm）を用いた光ディスク装置においては、DVDに比べ、ディスク・レーザ間距離が１／４以下、ディスクトラックピッチが１／２以下（例えば0.32-0.34μｍ）、最長記録マーク長が１／２以下（例えば0.15-17μｍ）になる。そのためDVDに比べ非常に高いフォーカス及びトラッキング精度が必要とされ、チルトや面ブレなどによる悪影響が大きくなることが懸念されている。そこで、光ディスク装置の性能を確保するため、スピンドルモータ駆動時の熱によるターンテーブルの温度上昇を防ぐことにことにより、光ディスクの局所的な温度上昇及び熱変形を抑制する技術が求められる。
【０００９】
光ディスク装置に設けられたスピンドルモータから発生する熱によりターンテーブルが温度上昇し、光ディスクの熱変形を起こす様子を図３を用いて詳細に説明する。図３は従来技術のスピンドルモータ内の熱伝達経路を図示したものである。
【００１０】
光ディスク２への記録／再生動作時には、光ディスク２を保持するターンテーブル１０が回転駆動される。このとき積層コア１５に巻きつけられたコイル１６にスピンドルモータ制御回路基板２０より電流が流れるため、コイル１６が発熱する。この熱は、矢印３１〜３５のようにコイル１６、積層コア１５、軸受部１２、回転軸１１、ターンテーブル１０の順に伝達し、最終的に光ディスク２がターンテーブル１０と接触した面に伝わる。光ディスク２は通常２つの基板を張り合わせ構造であるため、２つの基板の温度差があると熱膨張に差が生じ、熱変形によりチルト及び面ブレが発生する。チルト及び面ブレが発生すると正しく光ディスク２の記録面上に焦点を絞れなくなるため、該光ディスク２への記録／再生性能が劣化し記録／再生エラーが発生する。光ディスク装置が小型化されるとスピンドルモータのコイルからの熱がターンテーブルに伝わりやすくなるため、この問題がさらに顕著となる。
【００１１】
上記特許文献１には、スピンドルモータからの熱がターンテーブルに伝わりにくくするべく、スピンドルモータ内のターンテーブルと回転軸の間に、熱伝導率の低い部材で構成した筒状スペーサを設けている。スピンドルモータから発生する熱は回転軸を介してターンテーブルに伝わるため、該筒状スペーサを熱伝導率の低い部材で構成することで、スピンドルモータから発生する熱がターンテーブルに伝わる速度を抑え、ターンテーブルの温度上昇を抑制する。しかし、スピンドルモータが発熱し始めてから長時間が経過した場合には、熱がターンテーブルに伝わり、最終的にはターンテーブルは高温となってしまうので、光ディスクの反対側の周囲温度との間の温度差により熱変形を起こしチルト及び面ブレが発生して、記録／再生性能が劣化するという問題がある。さらに、この従来技術ではターンテーブルを冷却する手段は考慮されていないので、光ディスク装置を長時間駆動させターンテーブルが高温になった状態で光ディスクを交換した場合は、高温のターンテーブルに外気温と同じ温度の光ディスクが装着されることになり、ターンテーブルから光ディスクとの接触面に熱が伝わり、光ディスクの２つの基板間に温度差が生じ熱変形を起こしチルト及び面ブレが発生する（装置内部（ターンテーブル）の温度は「外気温+ｘ℃」となり上昇分のｘ℃は環境に拘わらず略一定（使用時間に依存）。ディスク温度は外気温と略同じであるから、実際に屋外（真夏）に使用する場合、ディスク40℃、装置内部70℃程度になる）。その結果、光ディスク交換直後は光ディスク装置の記録／再生性能が劣化するという問題がある。
【００１２】
上記特許文献２には、スピンドルモータの技術ではないが、ターンテーブルを冷却する従来技術が記載されている。しかし、この技術では、光ディスク装置筐体内に空冷式冷却手段、水冷式冷却手段を設ける必要があり、さらに筐体外にも送風、送水ダクトおよび送風送水装置を設けなければならず、さらに装置の外の設備との接続も不可欠であり、装置が大型化してしまうという問題がある。また、ターンテーブルの回転軸の軸受部をモータの外部に配置して冷却する必要があるという点からも、光ディスク装置が大型化してしまうという問題がある。
【００１３】
上記特許文献３では、ベースは軸受の下に配置されているため、軸受下部の熱は放熱できるかもしれないが、軸受上部には放熱手段がない。よって軸受上部より熱が伝わるターンテーブルの温度が上昇する問題がある。
【課題を解決するための手段】
【００１４】
そこで例えば、スピンドルモータ内の軸受部外周に冷却素子を設けることにより、装置の大型化を防止しながら長時間のスピンドルモータ駆動によるターンテーブルの温度上昇を防ぎ、光ディスクの熱変形を抑制することのできる小型の光ディスク装置を提供する。
【００１５】
具体的に例えば、着脱自在の光ディスクを用い、該光ディスクを保持するターンテーブルと該ターンテーブルの回転中心部を貫通して配置された回転軸と該回転軸を保持する略円柱状の軸受部とで構成されたスピンドルモータを有する光ディスク装置において、冷却素子を、該スピンドルモータ内部にある該軸受部の外周部に配置する。スピンドルモータのコイルから発する熱は、軸受部を介してターンテーブルに伝わる。そのため、軸受部を冷却素子により直接冷却することにより、スピンドルモータのコイルの熱がターンテーブルに伝わることを防ぎ、さらにターンテーブルを冷却することが可能である。これにより、該光ディスクに該ターンテーブルから熱が伝わることはなく光ディスクの熱変形を抑制することが可能であり、光ディスク装置が大型化することも防止できる。
【発明の効果】
【００１６】
上記手段によれば例えば、スピンドルモータ内の軸受部外周に冷却素子を設けることにより、装置の大型化を防止しながら長時間のスピンドルモータ駆動によるターンテーブルの温度上昇を防ぎ、光ディスクの熱変形を抑制することができる。
【００１７】
上記以外の課題、手段、効果は後述する実施形態によって明らかにされる。
【発明を実施するための最良の形態】
【００１８】
以下、本発明の実施に好適な実施形態を、光ディスク装置を使用したビデオカメラを例に図１、図２、図４〜図７を用いて説明する。尚、本発明は本実施例に限定されない。例えば、ビデオカメラなどのように小型化が求められていて且つ屋外でも使用する製品では熱の問題が特に重要であるが、本発明はビデオカメラだけでなくパソコンやビデオレコーダなどに使用される一般的な光ディスク装置にも適用可能である。また光ディスクにも限定されない。
【実施例１】
【００１９】
以下第１の実施例を、図１、図２、図４〜５を用いて説明する。
【００２０】
図１は、光ディスク装置を使用したビデオカメラの構造例を示す。
【００２１】
ビデオカメラ１は、光ディスク２、カメラ部３、ＥＶＦ（Electric View Finder）４、光ディスク装置５より構成される。さらに光ディスク装置５は、記録／再生時に発光するレーザダイオード６、レーザダイオード６を備えたピックアップ７、光ディスク２を回転保持するスピンドルモータ８、光ディスク装置５を制御する光ディスク装置制御回路基板９より構成される。
【００２２】
光ディスク装置のスピンドルモータの構造を図２、図５を用いて説明する。図２はスピンドルモータの横断面図、図５はスピンドルモータの上断面図である。尚、図５ではロータケース及び磁石は省略して図示している。なお、光ディスク装置とは、図１のように、スピンドルモータ以外のものも含む装置を意味することもあるし、スピンドルモータ単体を意味することもあるとする。
【００２３】
ここでスピンドルモータ８は、図２に図示された部分のうち、光ディスク２以外の部分の総称であるとする。１０は光ディスク２を回転保持するターンテーブル（台ともいう）、１１はターンテーブル１０の回転軸、１２は回転軸１１を保持する軸受部（摩擦を低減するためにオイルが塗られている。ボールベアリングであってもよい）、１３はターンテーブル１０に圧着されたロータケース（覆ともいう）、１４はロータケース１３に圧着された磁石、２５は軸受部１２の下部に圧着された積層コア、１６は積層コア２５に巻きつけられ電流が流されることで磁界を発生するコイル、１７は軸受部１２の外周上部に環状接着されている冷却素子であるペルチェ素子、１８はターンテーブル（のボス）から図面上左右に突出して光ディスク２を固定する圧着爪、１９は摩擦により光ディスク２を保持する環状保持部材、２０は光ディスク装置制御回路基板９と接続されているスピンドルモータ制御回路基板である。ペルチェ素子１７のリード線２１は積層コア２５の空洞部２２を通りスピンドルモータ制御回路基板２０と接続している。また、スピンドルモータ制御回路基板２０にはペルチェ素子１７を駆動及び制御する回路がある。ペルチェ素子１７は軸受部１２外周上部に熱伝導率のよいシリコン系樹脂を用いて接着することで、ペルチェ素子１７と軸受部１２の熱伝導性を向上させている。すなわち、ペルチェ素子１７と該軸受部１２とを固定するとともにその間の熱を効率よく伝えることができるので、ターンテーブルに熱が伝わることを効率よく防止できる。
【００２４】
なお、ここでいうスピンドルモータ８は特許文献２に記載のモータとは異なる。例えば磁石１４がターンテーブル１０と共に回転する構造であったり、ターンテーブル１０とロータケース１３が接続されていたりする。スピンドルモータ８は、回転軸１１が回転するのではなく、ロータケース１３を回転させることでターンテーブル１０ごとターンテーブル１０に搭載されたディスクを回転させるモータであるとも表現できる。
【００２５】
また、ペルチェ素子とは、冷却効果のある電子部品の一つであり、２種類の金属の接合部に電流を流すと、片方の金属からもう片方へ熱が移動するという「ペルチェ効果」を利用した素子である（ＩＴ用語辞典http://e-words.jp/参照）。これにより、電気的に温度制御が可能となり、光ディスク装置が大型化することを防止できる。
【００２６】
光ディスク２への記録／再生動作時には、ターンテーブル１０上に光ディスク２を環状保持部材１９と圧着爪１８とで保持するように装着する。保持された状態の光ディスク２は、スピンドルモータ８内のコイル１６と磁石１４と間の電磁力で回転するロータケース１３に圧着されているターンテーブル１０が回転軸１１を中心に回転することで、所定の回転速度で回転駆動される。このときスピンドルモータ８を駆動すると同時に、スピンドルモータ８内の軸受部１２側面上部に接着されたペルチェ素子１７にスピンドルモータ制御回路基板２０より駆動指令を出力する。この駆動指令により、ペルチェ素子１７にはターンテーブル１０を所定の温度で安定させる電圧が印加される。このペルチェ素子１７はスピンドルモータ８の内部に設けられているため、このことによる光ディスク装置の大型化は防げる。
【００２７】
本実施例における熱伝達経路について図４を用いて説明する。図４は、スピンドルモータ内の温度伝達経路である。
【００２８】
スピンドルモータ８の駆動によりコイル１６から発生する熱は、まずは積層コア２５に伝わる（矢印４１）。さらに積層コア２５と接触している軸受部１２側面下部に伝わるが、このとき軸受部１２側面上部にはペルチェ素子１７が熱伝導率の高いシリコン樹脂を用いて接着されているため、軸受部１２に伝わった熱の大部分はペルチェ素子１７に吸収（冷却）される（矢印４２）。その後、その伝達された熱はペルチェ素子１７の放熱面より放熱される（矢印４３）。よってコイル１６から発生する熱が、回転軸１１、ターンテーブル１０を介して光ディスク２に伝わること防止し、伝わる熱を低減している。コイル１６などの熱源そのものを冷却することも考えられるが、ターンテーブル１０の温度上昇を防ぐためには、ターンテーブルに直接伝わる軸受部１２を冷却することが効率的である。特に、積層コア２５と軸受部１２とを接続するためにペルチェ素子１７を図面上縦全面に配置できない場合には、ペルチェ素子１７をターンテーブル１０に近い側に配置することが有効である。このように、スピンドルモータ８内の軸受部の外周部に冷却素子であるペルチェ素子１７を配置し、軸受部１２を直接冷却するようにしたので、本スピンドルモータを使用した光ディスク装置及びビデオカメラは、装置が大型化することを防止しながら、安定した記録／再生性能を確保でき、ビデオカメラ上でブロックノイズ等の問題は発生しにくくすることができる。
【００２９】
ここで、ペルチェ素子１７を駆動するときに印加する電圧は、ペルチェ素子１７を駆動停止した場合のビデオカメラ１外部の周囲温度とターンテーブル１０の温度差を実験的に測定して求めている。ビデオカメラ１においてペルチェ素子１７を駆動しない状態で記録／再生動作を一定時間行い、ビデオカメラ１外部の周囲温度に対してターンテーブル１０の温度上昇分を測定する。この温度上昇分が大きい場合、ビデオカメラ１より光ディスク２を取り出しその他の光ディスクと交換すると、挿入された該光ディスクの２つの基板間で大きな温度差が発生し、熱変形により光ディスクの規格である０．７°を超えるチルトが発生してしまう。そのため、ビデオカメラ１外部の周囲温度とターンテーブル１０の温度差が光ディスクの規格の規格を満足するようなペルチェ素子１７への印加電圧を実験的に求める。この、求めた印加電圧を記録／再生動作時にペルチェ素子１７に加え駆動することにより、ターンテーブル１０の温度を外部の周囲温度とほぼ同じになり、光ディスク装置を長時間駆動させた後光ディスクを交換した場合にも、光ディスクの２つの基板間の温度差を小さくすることができ、チルト及び面ブレの発生が防止できる。
【００３０】
例えば、本実施例のビデオカメラ１では、ペルチェ素子１７を駆動しない状態で記録／再生動作を一定時間行った場合、スピンドルモータ８の駆動によりターンテーブル１０の温度は、ビデオカメラ１外部の周囲温度に比べ約３０℃上昇し平衡状態となった。ここで記録／再生動作を一時停止し、ビデオカメラ１より光ディスク２を取り出しその他の光ディスクと交換すると、挿入された該光ディスクの２つの基板間で約３０℃の温度差が発生し、光ディスクの規格である０．７°を超えるチルトが発生した。この温度上昇分をペルチェ素子１７により冷却することで温度差を小さくし安定させる。このときのペルチェ素子１７への印加電圧を電圧Ａとする。スピンドルモータ８の駆動と同時にスピンドルモータ制御回路基板２０よりペルチェ素子１７に電圧Ａとして例えば１．０Ｖを印加し続けた場合、一定時間記録／再生動作を行った後、ビデオカメラ１の周囲温度とターンテーブル１０の温度差は５℃以内で安定した。そのため光ディスクを交換した直後であっても、挿入された光ディスクにおける２つの基板間の温度差が小さいため、チルトの発生を０．１°以下に抑えることができた。
【実施例２】
【００３１】
以下、第２の実施例を、図２を用いて説明する。特に、ビデオカメラ１を長時間使用した場合に、ビデオカメラ１内部の光ディスク２上部の空間温度とターンテーブル１０との温度差が大きい場合の例を説明する。
【００３２】
第２の実施例が第１の実施例に対して異なる点は、ペルチェ素子１７に印加する電圧の求め方である。同一の構成には同一の番号を記し、説明は省略する。
【００３３】
本実施例では、一定時間記録／再生動作を行った後のビデオカメラ１内部の光ディスク２上部の空間温度とターンテーブル１０との温度差を測定し、その温度差を小さくするペルチェ素子１７への印加電圧Ｂを実験的に求める。この求めた印加電圧Ｂを記録／再生動作時にペルチェ素子１７に加え駆動することにより、ビデオカメラ１内部の光ディスク２上部の空間温度とターンテーブル１０との温度差を小さくでき、光ディスク装置を長時間駆動させた後にも、光ディスクの２つの基板間の温度差を小さくすることができ、チルト及び面ブレの発生が防止できる。
【００３４】
例えば、スピンドルモータ８の駆動と同時にスピンドルモータ制御回路基板２０よりペルチェ素子１７に０．５Ｖの電圧を印加し続けた場合、一定時間記録／再生動作を行った後、光ディスク２上部の空間温度とターンテーブル１０の温度差は５℃以内で安定した。そのため記録／再生動作を長時間続けた後であっても、光ディスク２のチルトの発生を０．１°以下に抑えることができた。
【００３５】
ここで、光ディスク装置の使用環境、使用時間などの差異により上記印加電圧Ａ、Ｂを切り替えてペルチェ素子１７に印加してもよい。
【実施例３】
【００３６】
以下、第３の実施例を、図６、７を用いて説明する。図６はスピンドルモータの横断面図、図７はスピンドルモータの上断面図である。第３の実施例が第１の実施例に対して異なる点は、軸受部２６、積層コア２７、ペルチェ素子２８の構造と配置である。同一の構成には同一の番号を記し、説明は省略する。
【００３７】
ここでは、４個のペルチェ素子２８と積層コア２７が互い違いに軸受部２６の側面に接着する構造としている。このときの温度伝達経路は図７に示すように、コイル１６からの熱が積層コア２７に伝わり（矢印７１）、積層コア２７から軸受部２６に伝わった熱はペルチェ素子２８に吸収（冷却）され（矢印７２）、さらにペルチェ素子２８の放熱面より放熱される（矢印７３）。
【００３８】
上述したように、この構造であっても第１の実施例と同様にターンテーブルに伝わる熱を防ぐ効果を得ることができる。
【００３９】
尚、ペルチェ素子２８と積層コア２７がともに軸受部２６に接する構成であれば、軸受部２６、積層コア２７、ペルチェ素子２８の形状及び構成は問わない。
【実施例４】
【００４０】
以下、第４の実施例を、図８、９を用いて説明する。図８はスピンドルモータの横断面図、図９はスピンドルモータの上断面図である。第４の実施例が第１の実施例に対して異なるところは、軸受部２９、積層コア３０、ペルチェ素子３１の構造と配置である。また、ペルチェ素子３１の吸熱側は積層コア３０側を向いている。その他、同一の構成には同一の番号を記し、説明は省略する。
【００４１】
ここでは、例えば１０μｍ以下の軸ブレが発生しない位置精度が保てるような剛性を持ったペルチェ素子３１を用い、軸受部２９外周全体にペルチェ素子３１を配置し、その外周に積層コア３０を配置する構造としている。このときの温度伝達経路は図８に示すように、コイル１６からの熱が積層コア３０に伝わり（矢印８１）、積層コア３０からの熱はペルチェ素子３１に吸収（冷却）され（矢印８２）、さらにペルチェ素子２８の放熱面より放熱される（矢印８３）。
【００４２】
上述したようにこの構造によれば、コイル１６の熱は軸受部２９に伝わらないため、さらにターンテーブルに伝わる熱を防ぐ効果が得られる。
【００４３】
尚、ペルチェ素子３１が積層コア３０と軸受部２９の間に設けられる構成であれば、軸受部２９、積層コア３０、ペルチェ素子３１の形状及び構成は問わない。
【図面の簡単な説明】
【００４４】
【図１】第１の実施例のビデオカメラの構造例を示す図
【図２】第１の実施例のスピンドルモータの横断面例を示す図
【図３】従来技術のスピンドルモータ内の温度伝達経路例を示す図
【図４】第１の実施例のスピンドルモータ内の温度伝達経路例を示す図
【図５】第１の実施例のスピンドルモータの上断面図例を示す図
【図６】第３の実施例のスピンドルモータの横断面図例を示す図
【図７】第３の実施例のスピンドルモータの上断面図例を示す図
【図８】第４の実施例のスピンドルモータの横断面図例を示す図
【図９】第４の実施例のスピンドルモータの上断面図例を示す図
【符号の説明】
【００４５】
１：ビデオカメラ、２：光ディスク、３：カメラ部、４：ＥＶＦ、５：光ディスク装置、６：レーザダイオード、７：ピックアップ、８：スピンドルモータ、９：光ディスク装置制御回路基板、１０：ターンテーブル、１１：回転軸、１２、２６、２９：軸受部、１３：ロータケース、１４：磁石、１５、２５、２７、３０：積層コア、１６：コイル、１７、２８、３１：ペルチェ素子、１８：圧着爪、１９：環状保持部材、２０：スピンドルモータ制御回路基板、２１：リード線、２２：空洞部、２３：コネクタ、２４：ＦＰＣ
【図１】
2007323784.tif 000003
【図２】
2007323784.tif 000004
【図３】
2007323784.tif 000005
【図４】
2007323784.tif 000006
【図５】
2007323784.tif 000007
【図６】
2007323784.tif 000008
【図７】
2007323784.tif 000009
【図８】
2007323784.tif 000010
【図９】
2007323784.tif 000011